(57)【特許請求の範囲】
【請求項１】
ボタン取付部５と、上蓋２及び下蓋３との両側端部に取り付けられたスプリング内蔵回転具６とを有し、ボタン取付部４のボタン４の押脱により回転具６の回動作用によって上蓋２が上方に開放する眼鏡ケース１であって、
前記回転具６は、上蓋２の両側端部の下端に一体成形された円筒形状の外枠１４と、該外枠１４と相対峙するように設けられた下蓋３の開口部に挿通固定される支持軸７とから構成され、
前記下蓋３の開口部に挿通される支持軸７の外周には固定用突起１５が設けられて支持軸７が回動しないように下蓋３内周面に固定されると共に、支持軸７内面にはスプリング止めＢ１１が設けられ、
一方、相対する上蓋２の外枠体１４内面に突起状スプリング止めＡ１０を設けて、前記支持軸７のスプリング止めＢ１１と前記突起状スプリング止めＡ１０との間にスプリング８を固定し、
更に、前記支持軸７内にはオイル９が封入して密封した構造とし、
ボタン取付部５のボタン４の押脱により係合部の係合が外れると同時に、回転具内の変形状態にあったスプリング８がゆっくりと外方向に向って伸び、上蓋と一体成形された回転具６の外枠１４が支持軸７の外周を回動しながら上蓋２を上方にゆっくりと開放することを特徴とする眼鏡ケース。
【発明の詳細な説明】
【０００１】
【発明の属する技術分野】
本発明は、上下蓋体が一体化した眼鏡ケースに関し、更に詳しくは、上蓋の側端部に一体的に形成した外枠と、下蓋の中空部に挿通固定さえて相対峙するように設けられた支持具とから成る回転具内の空間部にオイルを充填して、回動具内のスプリングの開放運動によって上蓋がゆっくりと上部に回動する眼鏡ケースに関する。
【０００２】
【従来技術】
従来の眼鏡ケースのうち上蓋と下蓋とが一体的な眼鏡としては、実開平２−１１４３１号「収納個付メガネケース」に示されるように、側端部にヒンジ部を介して上下に開放される構造の眼鏡ケースは公知である。
【０００３】
この形状の眼鏡ケースは、両手で押さえながら開放側に設けられた開放口を少し開け、その後に開放限度一杯まで開放して内部保管してある眼鏡を取り出したり、或いは逆に閉めたりするのが通常であった。
【０００４】
【発明が解決しようとする課題】
しかしながら上記の従来型の眼鏡ケースは、両手を使用して上蓋を開放しなければならず、片手で操作が行えるような眼鏡ケースのように、例えばボタンを外すと自動的に上蓋が上方に開放するタイプの眼鏡ケースは今まで知られていなかった。
【０００５】
【課題を解決するための手段】
本発明者は係る課題を解決するために鋭意研究したところ、上蓋と下蓋との接触部に回転具を取り付け、回転具内の回転軸を利用して自動的に回動する眼鏡ケースを製造することができた。
【０００６】
すなわち本発明の第一は、ボタン取付部５と、上蓋２及び下蓋３との両側端部に取り付けられたスプリング内蔵回転具６とを有し、ボタン取付部４のボタン４の押脱により回転具６の回動作用によって上蓋２が上方に開放する眼鏡ケース１であって、
前記回転具６は、上蓋２の両側端部の下端に一体成形された円筒形状の外枠１４と、該外枠１４と相対峙するように設けられた下蓋３の開口部に挿通固定される支持軸７とから構成され、
前記下蓋３の開口部に挿通される支持軸７の外周には固定用突起１５が設けられて支持軸７が回動しないように下蓋３内周面に固定されると共に、支持軸７内面にはスプリング止めＢ１１が設けられ、
一方、相対する上蓋２の外枠体１４内面に突起状スプリング止めＡ１０を設けて、前記支持軸７のスプリング止めＢ１１と前記突起状スプリング止めＡ１０との間にスプリング８を固定し、
更に、前記支持軸７内にはオイル９が封入して密封した構造とし、
ボタン取付部５のボタン４の押脱により係合部の係合が外れると同時に、回転具内の変形状態にあったスプリング８がゆっくりと外方向に向って伸び、上蓋と一体成形された回転具６の外枠１４が支持軸７の外周を回動しながら上蓋２を上方にゆっくりと開放することを特徴とする眼鏡ケースである。
【０００７】
【発明の実施の形態】
図１は、本発明に係る眼鏡ケースの斜視図である。本発明の眼鏡ケース１は、上蓋２及び下蓋３とが一体となるケース型形状であり、上蓋２及び下蓋３の両側端部に２ヶの回転具６が設けられており、さらに、上蓋表面側には、上蓋の窪み部分に相対峙し、下蓋表面側に沿って固定されるボタン取付部５の上に、上蓋を開放するボタン４が取り付けられている。
【０００８】
この場合、ボタン取付部５のボタン４は、片手で外方向に引っ張るか、或いは内方向に押すと内部で上蓋２と下蓋３とを係合する係合部（図示せず）が外れる構造となっている。
【０００９】
上記係合部が外れると、上蓋２は側端部に設けられた２ヶの回転部６の働きで上方に開放される構造となっているが、上記係合部の外れと共に直ぐに上方に開放するのではなく、図４に示すように、回転具６内に充填されたオイル９が上蓋２と一体成形された外枠１４の内周面に設けられた突起状スプリング止めＡ１０と支持具７の内周面に設けられたスプリング止めＢ１１との間で伸縮する変形状態のスプリング８が外方向へ伸びる動作を緩慢にさせるため、結果として上蓋２と一体成形された回転具６の外枠１４が支持軸７の外周を回動しながら上蓋２をゆっくりと上方に開放する機構となっている。
【００１０】
この場合、回転具６内の構造は、上蓋２の下端部に円筒形状の外枠１４を一体的に形成し、該内周壁に沿って支持軸７が嵌合する構造となっている。この場合、支持軸７は、前記上蓋２と外枠１４とから成る円筒形状と相対峙するように設けられた下蓋３の開口部に挿通させ、支持軸７の外周部に設けた固定用突起１５で下蓋３の内周面に固定される円筒形状であり、内部底面に２本の突起を設けてスプリング止めＢ１１を有している。
【００１１】
一方、上蓋２の下端部に設けた円筒形状の外枠１４内部にも１本の突起を設けてスプリング止めＡ１０とし、スプリング８の先端が該スプリング止めＡ１０の外周に被巻きされ、また他端は、前記スプリング止めＢ１１の２本の突起の外周に被巻きされながら２ヶのスプリング止めＡＢ間に設けられており、回転具６の外枠１４が上蓋２を回転させる場合には変形状態にあるスプリング８が外部方向に伸びることによって外枠１４及び上蓋２を上方に開放する構造となっている。
【００１２】
さらに、本願発明の他の形態として図５に示すように、開放ボタンの設置位置を変えてある眼鏡ケースを示すが、下蓋３のボタン取付部５に設けた下部係止具１３のボタン４を押すことによって上蓋２に設けた上部係止具１２が下蓋３の下部係止具１３の突起部（図示せず）から外れて上蓋２が若干上方に上がると同時に、変形状態にあった回転具６内のスプリング８が外方向に伸び出し、それと共に上蓋と一体成形された回転具６の外枠１４が支持軸７の外周を回動しながら上蓋２を上方に開放する。
【００１３】
この場合スプリングの作動のみの場合は、上方への開放は直ぐに達成されるため使用者の手に当たったりして危険なため、回転具内にオイル量を調整して充填しスプリング８の伸縮を任意に押さえ、上方への開放がゆっくりとなるように調節している。
【００１４】
【発明の効果】
本発明の眼鏡ケースは、回転具内にオイルを充填することによってスプリングの伸縮を制御しながら上蓋を上方にゆっくりと開放する構造となっているため、使用者は片手でボタン取付け部のボタンを押して係合部の係止を外すと自動的に上蓋を開放することができるものである。
【図面の簡単な説明】
【図１】本発明に係る眼鏡ケースの斜視図である。
【図２】図１における眼鏡ケースの平面図である。
【図３】図１における眼鏡ケースの正面図である。
【図４】図２におけるＡ−Ａ’断面を示す部分断面図である。
【図５】本発明に係る別な形態の眼鏡ケースを示す斜視図である。
【符合の説明】
１・・・眼鏡ケース
２・・・上蓋
３・・・下蓋
４・・・ボタン
５・・・ボタン取付部
６・・・回転具
７・・・支持軸
８・・・スプリング
９・・・オイル
１０・・スプリング止めＡ
１１・・スプリング止めＢ
１２・・上部係止具
１３・・下部係止具
１４・・外枠
１５・・固定用突起
【図１】
0004030371.tif 000002
【図２】
0004030371.tif 000003
【図３】
0004030371.tif 000004
【図４】
0004030371.tif 000005
【図５】
0004030371.tif 000006